(57)【要約】【課題】  人体の影響を軽減し、広帯域で高利得を得る。【解決手段】  携帯型無線機から引き出される同軸ケーブル２２０の内部導体２２１を外部導体（シールド線）２２３の末端より伸ばして、上記同軸ケーブル２２０の引き出された内部導体２２１と外部導体（シールド線）２２３とで、励振するスリーブアンテナ構造とし、音声信号を高周波信号と重畳したイヤホンアンテナ２１０とする。【選択図】        図１０
2005064742.tif 000002
【特許請求の範囲】
【請求項１】
イヤホンに音声信号を供給する２本の信号線からなるイヤホンケーブルと、
高周波信号を通す中心導体を絶縁体で被覆し、さらに、シールド線で被覆してなる同軸線と絶縁被服された音声信号用の信号線及び接地線からなり一端が多極ジャックを介して無線機本体に接続される同軸ケーブルと、
上記同軸ケーブルの他端を上記イヤホンケーブルにするための接続ブロックとを備え、
上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルの音声信号用の信号線及び接地線をそれぞれ音声信号の周波数帯域ではローインピーダンスで高周波信号の周波数帯域ではハイインピーダンスとなる高周波チョークコイルを介して上記イヤホンケーブルの２本の信号線に接続するとともに、上記同軸ケーブルの音声信号用の信号線及び接地線を音声信号の周波数帯域ではハイインピーダンスで高周波信号の周波数帯域ではローインピーダンスとなるコンデンサを介して接続してなり、
上記イヤホンケーブルと上記同軸ケーブルとでスリーブアンテナを構成したことを特徴とするイヤホンアンテナ。
【請求項２】
上記接続ブロックに２本のイヤホンケーブルを介して接続されたステレオイヤホンを備え、一方のイヤホンケーブルの中途部分に高周波チョークコイルを挿入してなり、上記２本のイヤホンケーブルの共振長を異ならしめたことを特徴とする請求項１記載のイヤホンアンテナ。
【請求項３】
チューナと音声信号出力部に接続された多極ジャックを備える無線機本体と、
イヤホンに音声信号を供給する２本の信号線からなるイヤホンケーブルと、高周波信号を通す中心導体を絶縁体で被覆し、さらに、シールド線で被覆してなる同軸線と絶縁被服された音声信号用の信号線及び接地線からなり一端が多極ジャックを介して無線機本体に接続される同軸ケーブルと、上記同軸ケーブルの他端を上記イヤホンケーブルにするための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルの音声信号用の信号線及び接地線をそれぞれ音声信号の周波数帯域ではローインピーダンスで高周波信号の周波数帯域ではハイインピーダンスとなる高周波チョークコイルを介して上記イヤホンケーブルの２本の信号線に接続するとともに、上記同軸ケーブルの音声信号用の信号線及び接地線を音声信号の周波数帯域ではハイインピーダンスで高周波信号の周波数帯域ではローインピーダンスとなるコンデンサを介して接続してなり、上記無線機本体に多極プラグ・ジャックを介して接続されるイヤホンアンテナとからなり、
上記イヤホンアンテナは上記イヤホンケーブルと上記同軸ケーブルとでスリーブアンテナを構成したことを特徴とする携帯型無線機。
【請求項４】
イヤホンに音声信号を供給する２本の信号線からなるイヤホンケーブルと、
高周波信号を通す中心導体を絶縁体で被覆し、さらに、シールド線で被覆してなる同軸ケーブルと、
上記同軸ケーブルの他端を上記イヤホンケーブルにするための接続ブロックとを備え、
上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルのシールド線を上記イヤホンケーブルの他方の信号線に音声信号の周波数帯域ではローインピーダンスで高周波信号の周波数帯域ではハイインピーダンスとなる高周波チョークコイルを介して接続してなり、
上記イヤホンケーブルと上記同軸ケーブルとでスリーブアンテナを構成したことを特徴とするイヤホンアンテナ。
【請求項５】
チューナと音声信号出力部に接続されたジャックを備える無線機本体と、
イヤホンに音声信号を供給する２本の信号線からなるイヤホンケーブルと、高周波信号を通す中心導体を絶縁体で被覆し、さらに、シールド線で被覆してなる同軸ケーブルと、上記同軸ケーブルの他端を上記イヤホンケーブルにするための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルのシールド線を上記イヤホンケーブルの他方の信号線に音声信号の周波数帯域ではローインピーダンスで高周波信号の周波数帯域ではハイインピーダンスとなる高周波チョークコイルを介して接続してなり、上記無線機本体にプラグ・ジャックを介して接続されるイヤホンアンテナとからなり、
上記イヤホンアンテナは上記イヤホンケーブルと上記同軸ケーブルとでスリーブアンテナを構成したことを特徴とする携帯型無線機。
【発明の詳細な説明】
【技術分野】
【０００１】
本発明は、人体に装着して使用される携帯型無線機のイヤホンアンテナ及びこのイヤホンアンテナを備えた携帯型無線機に関する。
【背景技術】
【０００２】
従来より、人体に装着して使用されるページャ、ラジオ受信機や液晶テレビジョン受像機などの携帯型無線機において、ロッドアンテナやイヤホンへ音声信号を伝送する信号線をアンテナとして利用するイヤホンアンテナが使用されている。
【０００３】
【特許文献１】特開２００３−１８８４２号公報
【発明の開示】
【発明が解決しようとする課題】
【０００４】
ところで、ロッドアンテナやイヤホンアンテナを使用する携帯型無線機では、人体に装着して使用する際に、人体への装着によりアンテナの性能劣化が著しく、十分な受信感度が得られないという問題点があった。
【０００５】
特に、イヤホンへ音声信号を伝送する信号線をアンテナとして利用するイヤホンアンテナは、イヤホンや信号線が直接人体に触れるので、人体がアンテナを通じて無線機に大きな影響を及ぼし、受信の安定性を大きく損なうという問題点があった。
【０００６】
また、例えば日本におけるテレビジョン放送では９０〜１０８ＭＨｚ（１〜３ｃｈ）、１７０〜２２２ＭＨｚ（４〜１２ｃｈ）のＶＨＦ帯域と、４７０〜７７０ＭＨｚ（１３〜６２ｃｈ）のＵＨＦ帯域が使用されているので、テレビジョン放送を受信する液晶テレビジョン受像機では９０〜７７０ＭＨｚという極めて広帯域の高周波信号を受信する必要があり、従来のロッドアンテナやイヤホンアンテナでは、固定式のアンテナに比べて性能が劣っており、必要とする周波数範囲で十分な感度を確保することが極めて困難であった。
【０００７】
そこで、本発明の目的は、上述の如き従来の問題点に鑑み、人体の影響を軽減し、広帯域で高利得のイヤホンアンテナを提供するとともに、受信の安定性を確保した携帯型無線機を提供することにある。
【課題を解決するための手段】
【０００８】
本発明に係るイヤホンアンテナは、イヤホンに音声信号を供給する２本の信号線からなるイヤホンケーブルと、高周波信号を通す中心導体を絶縁体で被覆し、さらに、シールド線で被覆してなる同軸構造の外側に絶縁被服された音声信号用の信号線及び接地線を巻装してなり、一端が多極ジャックを介して無線機本体に接続される同軸ケーブルと、上記同軸ケーブルの他端を上記イヤホンケーブルにするための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルの音声信号用の信号線及び接地線をそれぞれ音声信号の周波数帯域ではローインピーダンスで高周波信号の周波数帯域ではハイインピーダンスとなる高周波チョークを介して上記イヤホンケーブルの２本の信号線に接続するとともに、上記同軸ケーブルの音声信号用の信号線及び接地線を音声信号の周波数帯域ではハイインピーダンスで高周波信号の周波数帯域ではローインピーダンスとなるコンデンサを介して接続してなり、上記イヤホンケーブルと上記同軸ケーブルとでスリーブアンテナを構成したことを特徴とする。
【０００９】
また、本発明に係る携帯型無線機は、チューナと音声信号出力部に接続された多極ジャックを備える無線機本体と、イヤホンに音声信号を供給する２本の信号線からなるイヤホンケーブルと、高周波信号を通す中心導体を絶縁体で被覆し、さらに、シールド線で被覆してなる同軸構造の外側に絶縁被服された音声信号用の信号線及び接地線を巻装してなり、一端が多極ジャックを介して無線機本体に接続される同軸ケーブルと、上記同軸ケーブルの他端を上記イヤホンケーブルにするための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルの音声信号用の信号線及び接地線をそれぞれ音声信号の周波数帯域ではローインピーダンスで高周波信号の周波数帯域ではハイインピーダンスとなる高周波チョークを介して上記イヤホンケーブルの２本の信号線に接続するとともに、上記同軸ケーブルの音声信号用の信号線及び接地線を音声信号の周波数帯域ではハイインピーダンスで高周波信号の周波数帯域ではローインピーダンスとなるコンデンサを介して接続してなり、上記無線機本体に多極プラグ・ジャックを介して接続されるイヤホンアンテナとからなり、上記イヤホンアンテナは上記イヤホンケーブルと上記同軸ケーブルとでスリーブアンテナを構成したことを特徴とする。
【００１０】
また、本発明に係るイヤホンアンテナは、イヤホンに音声信号を供給する２本の信号線からなるイヤホンケーブルと、高周波信号を通す中心導体を絶縁体で被覆し、さらに、シールド線で被覆してなる同軸ケーブルと、上記同軸ケーブルの他端を上記イヤホンケーブルにするための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルのシールド線を上記イヤホンケーブルの他方の信号線に音声信号の周波数帯域ではローインピーダンスで高周波信号の周波数帯域ではハイインピーダンスとなる高周波チョークを介して接続してなり、上記イヤホンケーブルと上記同軸ケーブルとでスリーブアンテナを構成したことを特徴とする。
【００１１】
さらに、本発明に係る携帯型無線機は、チューナと音声信号出力部に接続されたジャックを備える無線機本体と、イヤホンに音声信号を供給する２本の信号線からなるイヤホンケーブルと、高周波信号を通す中心導体を絶縁体で被覆し、さらに、シールド線で被覆してなる同軸ケーブルと、上記同軸ケーブルの他端を上記イヤホンケーブルにするための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルのシールド線を上記イヤホンケーブルの他方の信号線に音声信号の周波数帯域ではローインピーダンスで高周波信号の周波数帯域ではハイインピーダンスとなる高周波チョークを介して接続してなり、上記無線機本体にプラグ・ジャックを介して接続されるイヤホンアンテナとからなり、
上記イヤホンアンテナは上記イヤホンケーブルと上記同軸ケーブルとでスリーブアンテナを構成したことを特徴とする。
【発明の効果】
【００１２】
本発明に係るイヤホンアンテナでは、接続ブロックにおいて、同軸ケーブルの中心導体をイヤホンケーブルの一方の信号線に直接接続するとともに上記イヤホンケーブルの他方の信号線にコンデンサを介して接続し、上記同軸ケーブルの音声信号用の信号線及び接地線をそれぞれ高周波チョークを介して上記イヤホンケーブルの２本の信号線に接続するとともに、上記同軸ケーブルの音声信号用の信号線及び接地線をコンデンサを介して接続することにより、音声信号の周波数帯域では、イヤホンケーブルの２本の信号線が信号線と接地線とに分離された状態で音声信号の伝送路として機能し、高周波信号の周波数帯域では、上記イヤホンケーブルの２本の信号線が一体としてアンテナ素子となり、上記イヤホンケーブルと上記同軸ケーブルとでスリーブアンテナとして機能するので、人体の影響を低減して、広帯域に亘って高利得を得ることができる。
【００１３】
また、本発明に係る携帯型無線機では、イヤホンに音声信号を供給する２本の信号線からなるイヤホンケーブルと、高周波信号を通す中心導体を絶縁体で被覆し、さらに、シールド線で被覆してなる同軸構造の外側に絶縁被服された音声信号用の信号線及び接地線を巻装してなり、一端に多極プラグが設けられた同軸ケーブルと、上記同軸ケーブルの他端を上記イヤホンケーブルにするための接続ブロックとを備え、上記接続ブロックにおいて、上記同軸ケーブルの中心導体を上記イヤホンケーブルの一方の信号線に直接接続するとともに上記イヤホンケーブルの他方の信号線にコンデンサを介して接続し、上記同軸ケーブルの音声信号用の信号線及び接地線をそれぞれ高周波チョークを介して上記イヤホンケーブルの２本の信号線に接続するとともに、上記同軸ケーブルの音声信号用の信号線及び接地線をコンデンサを介して接続してなり、上記イヤホンケーブルと上記同軸ケーブルとでスリーブアンテナを構成したイヤホンアンテナが、無線機本体に多極プラグ・ジャックを介して接続されることによって、広帯域に亘って受信の安定性を確保することができる。
【発明を実施するための最良の形態】
【００１４】
以下、本発明の実施の形態について、図面を参照して詳細に説明する。
【００１５】
本発明は、例えば図１に示すような構成の液晶テレビジョン受像機１００に適用される。
【００１６】
この図１に示す液晶テレビジョン受像機１００において、本発明に係るイヤホンアンテナ１０は、ピンジャックコネクタ１１０を介して受像器本体１２０に接続される。
【００１７】
ピンジャックコネクタ１１０は、図２に示すように、アンテナ（Ａｎｔ）、グランド（Ｇｎｄ）、オーディオＬチャンネル（Ｌ）、オーディオＲチャンネル（Ｒ）及びグランド（Ｇｎｄ）の５種類のラインが接続されるそれぞれ５極のピン１１０Ａとジャック１１０Ｂからなる。
【００１８】
受像器本体１２０には、図３に示すように、チューナ部１２１、このチューナ部１２１に接続された中間周波信号処理部１２２、この中間周波信号処理部１２２に接続された映像信号処理部１２３及び音声信号処理部１２４、上記映像信号処理部１２３に接続された液晶表示部１２５、上記音声信号処理部１２４からステレオ音声信号が供給されるステレオスピーカ１２６Ｌ，１２６Ｒと、上記ピンジャックコネクタ１１０を構成するジャック１１０Ｂが設けられている。
【００１９】
この液晶テレビジョン受像機１００において、上記ジャック１１０Ｂは、図２に示すように、５個の可動端子１，２，５，６，７と２つの固定端子３，４を備え、図３に示すように、可動端子７及び可動端子１がアンテナ端子（Ａｎｔ）及びグランド端子（Ｇｎｄ）としてチューナ部１２１に接続されており、また、可動端子２，５，６がオーディオＬチャンネル端子（Ｌ）、オーディオＲチャンネル端子（Ｒ）及びグランド端子（Ｇｎｄ）として音声信号処理部１２４に接続されており、さらに、固定端子３，４に上記ステレオスピーカ１２６Ｌ，１２６Ｒが接続されている。上記可動端子２，５と固定端子３，４は、このジャック１１０Ｂにピン１１０Ａが挿入されることにより開成される常閉スイッチを構成しており、上記ジャック１１０Ｂにピン１１０Ａが挿入されていない状態では上記音声信号処理部１２４から出力されるステレオ音声信号が上記固定端子３，４を介してステレオスピーカ１２６Ｌ，１２６Ｒに供給されるようになっている。
【００２０】
イヤホンアンテナ１０は、一端が上記５極ピンジャックコネクタ１１０を介して上記受像機本体１２０に接続される同軸ケーブル２０と、この同軸ケーブル２０の他端に接続された接続ブロック３０と、この接続ブロック３０に２本のイヤホンケーブル４１，４２を介して接続されたステレオイヤホン４０Ｌ，４０Ｒからなる。
【００２１】
上記同軸ケーブル２０は、図４に示すように、高周波信号を通す中心導体２１を芯線とし、この中心導体２１を絶縁体２２で被覆し、さらに、シールド線２３で被覆してなる同軸構造の外側にそれぞれ絶縁被覆された３本の音声信号用の信号線２４Ｌ，２４Ｒ及び接地線２４Ｃを巻装してなる。そして、この同軸ケーブル２０は、上記中心導体２１、シールド線２３、音声信号用の信号線２４Ｌ，２４Ｒ及び接地線２４Ｃに接続された５極のピン１１０Ａが一端側に設けられている。また、この同軸ケーブル２０の他端側には、上記中心導体２１、シールド線２３、音声信号用の信号線２４Ｌ，２４Ｒ及び接地線２４Ｃに接続された接続ブロック３０が設けられている。
【００２２】
接続ブロック３０は、図５に示すように、中央に設けられたグランドパターン３１、このグランドパターン３１の両側に設けられたステレオ音声信号の伝送ラインパターン３２Ｌ，３２Ｒ、及び、上記グランドパターン３１の先端側に設けられた３つの接続ランド３３Ｌ，３３Ｒ，３３Ｃが形成された基板３４を備える。この基板３４には、上記ステレオ音声信号の伝送ラインパターン３２Ｌ，３２Ｒの先端部分を上記３つの接続ランド３３Ｌ，３３Ｒ，３３Ｃのうちの第１及び第２の接続ランド３３Ｌ，３３Ｒと接続する高周波チョーク３５Ｌ，３５Ｒ、上記グランドパターン３１を上記３つの接続ランド３３Ｌ，３３Ｒ，３３Ｃのうちの第３の接続ランド３３Ｃと接続する高周波チョーク３５Ｃ、上記ステレオ音声信号の伝送ラインパターン３２Ｌ，３２Ｒとグランドパターン３１とを接続するチップコンデンサ３６Ｌ，３６Ｒ、上記第１の接続ランド３３Ｌと第３の接続ランド３３Ｃとを接続するチップコンデンサ３７Ｌ及び上記第２の接続ランド３３Ｒと第３の接続ランド３３Ｃとを接続するチップコンデンサ３７Ｒが実装されている。
【００２３】
そして、この接続ブロック３０には、左側イヤホン４０Ｌに左側音声信号を供給する２本の信号線４１Ａ，４１Ｂからなる左側イヤホンケーブル４１が上記第１の接続ランド３３Ｌと第３の接続ランド３３Ｃに接続され、また、右側イヤホン４０Ｒに右側音声信号を供給する２本の信号線４２Ａ，４２Ｂからなる右側イヤホンケーブル４２が上記第２の接続ランド３３Ｒと第３の接続ランド３３Ｃに接続されている。
【００２４】
また、この接続ブロック３０には、上記同軸ケーブル２０が次のように接続されている。
【００２５】
すなわち、上記基板３４に形成されている音声信号の伝送ラインパターン３２Ｌに上記同軸ケーブル２０の左側音声信号線２４Ｌ及び右側音声信号線２４Ｒが接続され、また、グランドパターン３１に接地線２４Ｃが接続されている。さらに、上記グランドパターン３１には、上記同軸ケーブル２０の同軸構造をなす中心導体２１及びシールド線２３が上記グランドパターン３１上に載置され、シールド線２３がグランドパターン３１に接続され、中心導体２１の先端が上記第３の接続ランド３３Ｃに接続されている。
【００２６】
ここで、この実施の形態において、上記高周波チョーク３５Ｌ，３５Ｒ，３５Ｃとしては、フェライトビーズ、例えば村田製作所製ＢＬＭ１８ＨＤ１０２ＳＮ１  サイズ１６０８が使用されている。このフェライトビーズを用いた高周波チョーク３５Ｌ，３５Ｒ，３５Ｃは、２０ｋＨｚ以下の周波数帯域の音声信号に対してはローインピーダンスとなり、高周波信号に対してはハイインピーダンスとなって、高周波信号の通過を阻止する。また、各チップコンデンサ３６Ｌ，３６Ｒ，３７Ｌ，３７Ｒは、それぞれ１０ｐＦの容量を有するものが使用され、２０ｋＨｚ以下の周波数帯域の音声信号に対してはハイインピーダンスとなって、音声信号の通過を阻止し、高周波信号に対してはローインピーダンスとなる。
【００２７】
このイヤホンアンテナ１０は、電気的な回路構成図を図６に示すように、音声信号をステレオイヤホンのスピーカ４０Ｌ，４０Ｒまで伝達するのに、左右及びＧＮＤの片側それぞれ２本の信号線４１Ａ，４１Ｂ・４２Ａ，４２Ｂからなるイヤホンケーブル４１，４２が引き出されており、音声信号と高周波信号を分離するために、音声信号の入力部及びグランドに落ちる部分すなわち接続ランド３３Ｌ，３３Ｒ，３３Ｃ部分に、フェライトビーズを使用した高周波長チョーク３５Ｌ，３５Ｒ，３５Ｃを設け、テレビジョン放送で使用する周波数帯域において、高インピーダンス（１ｋΩ以上）また、音声周波帯域（２０ｋＨｚ以下）においては、低インピーダンスになるようにして、音声信号と高周波信号とを分離する構成とした。
【００２８】
また、それぞれ２本の信号線からなる各イヤホンケーブル４１，４２は、高周波信号的には上記同軸ケーブル２０の同軸構造をなす中心導体２１に接続されるため、これを音声領域的に分離されているようにするために、第１及び第２の接続ランド３３Ｌ，３３Ｒと第３の接続ランド３３Ｃの間をそれぞれ１０ｐＦのチップコンデンサ３７Ｌ，３７Ｒで接続することにより、音声領域においてはイヤホンケーブル４１を構成している２本の信号線４１Ａ，４１Ｂ及びイヤホンケーブル４２を構成している２本の信号線４２Ａ，４２Ｂをそれぞれ分離し、高周波信号（テレビ帯の周波数領域）においては、イヤホンケーブル４１を構成している２本の信号線４１Ａ，４１Ｂ及びイヤホンケーブル４２を構成している２本の信号線４２Ａ，４２Ｂがそれぞれ１本のアンテナ線となるようにした。
【００２９】
ここで、日本におけるテレビの使用周波数帯域は、ＶＨＦで、９０Ｍ〜１０８ＭＨｚ（１〜３ｃＨ）、１７０Ｍ〜２２２ＭＨｚ（４〜１２ｃＨ）、ＵＨＦ帯で４７０Ｍ〜７７０ＭＨｚ（１３〜６２ｃＨ）である。
【００３０】
そこで、このイヤホンアンテナ１０は、同軸構造のシールド線２３と中心導体２１部分に接続されたイヤホンケーブル４１，４２部分までで共振するスリーブアンテナ構造とし、ＶＨＦ帯の１００ＭＨｚを受信できるようにおのおの長さを設定した。
【００３１】
この実施の形態におけるイヤホンアンテナ１０では、同軸ケーブル２０は特性インピータンスが７５Ωの同軸構造とし、その長さを７００ｍｍとし、イヤホンケーブル４１，４２の長さを４０ｃｍとして作成し、１００ＭＨｚで共振するように調整した。２００ＭＨｚは、１λアンテナとして受信できるような構造とし、ＵＨＦにおいては、１００ＭＨｚ及び２００ＭＨｚの高調波励振（３倍波、５倍波、７倍波）を利用するようにした。
【００３２】
同軸ケーブル２０の音声信号用の各信号線は、上記接続ブロック３０において、１０ｐＦのコンデンサ３６Ｌ，３６Ｒを介してグランドパターン３１にそれぞれ接続され同軸ケーブル２０のシールド線２３に接続されているので、高周波信号領域においては、すべてグランドとして機能する。
【００３３】
このような構造のイヤホンアンテナ１０について、擬似人体に装着して電波暗室おいて水平偏波の指向性を測定し、従来のイヤホンテナと比較したした結果を図７及び図８に示す。図７に示す受信感度の比較結果からも明らかなように、このイヤホンアンテナ１０は、すべての周波数帯において従来のイヤホンアンテナと比べ受信感度が大幅に向上している。
【００３４】
ここで、図５及び図６図に示したイヤホンアンテナ１０では、２本のイヤホンケーブル４１，４２の長さを等しくしたが、接続ブロック３０の接続ランド３３Ｌ，３３Ｒ，３３Ｃからイヤホン４０Ｌ，４０Ｒまでの２本のイヤホンケーブル４１，４２の長さそれぞれを変えることで、異なる周波数にも対応することも可能である。
【００３５】
また、図９に示すイヤホンアンテナ１０Ａのように、２本のイヤホンケーブル４１，４２のうちの一方例えば左側音声信号用のイヤホンケーブル４１の中途部分に高周波チョーク（フェライトビーズ）３５Ａ，３５Ｂを挿入することにより、高周波信号を分離して、共振長を短くするようにしてもよい。この図７に示したイヤホンアンテナ１０Ａでは、一方のイヤホンケーブル４１の共振長を２５０ｍｍ、他方のイヤホンケーブル４２の共振長を４００ｍｍとし、同軸ケーブル２０は特性インピータンスが７５Ωの同軸構造とし、その長さを６００ｍｍとした。なお、このイヤホンアンテナ１０Ａにおいて、他の構成要素は、上記イヤホンアンテナ１０と同じなので、同一構成要素を図９中に同一の指示符号を付して示し、詳細な説明を省略する。
【００３６】
さらに、モノラルイヤホンでイヤホンケーブルが一本の場合は、図１０に示すような構成のイヤホンアンテナ２１０とすることができる。
【００３７】
すなわち、図１０に示すイヤホンアンテナ２１０は、イヤホン２４０に音声信号を供給する２本の信号線２４１Ａ，２４１Ｂからなるイヤホンケーブル２４１と、高周波信号を通す中心導体２２１を絶縁体で被覆し、さらに、シールド線２２３で被覆してなる同軸ケーブル２２０と、上記同軸ケーブル２２０の他端を上記イヤホンケーブル２４１に接続するための接続ブロック２３０とを備える。
【００３８】
このイヤホンアンテナ２１０は、上記接続ブロック２３０において、上記同軸ケーブル２２０の中心導体２２１を上記イヤホンケーブル２４１の一方の信号線２４１Ａに直接接続するとともに上記イヤホンケーブル２４１の他方の信号線２４１Ｂに音声信号の周波数帯域ではハイインピーダンスで高周波信号の周波数帯域ではローインピーダンスとなるコンデンサ２３７を介して接続し、上記同軸ケーブル２２０のシールド線２２３を上記イヤホンケーブル２４１の一方の信号線２４１Ａに音声信号の周波数帯域ではローインピーダンスで高周波信号の周波数帯域ではハイインピーダンスとなる高周波チョーク２３５を介して接続してなる。
【００３９】
このイヤホンアンテナ２１０は、ピンジャックコネクタ３１０を介して無線機本体３２０に接続される。
【００４０】
無線機本体３２０側では、音声信号の出力ライン３２１がフェライトビーズを用いた高周波チョーク３２３を介して高周波信号の伝送ライン３２２に接続されており、ピンジャックコネクタ３１０を構成するジャック３１０Ｂに上記伝送ライン３２２とグランドライン３２４が接続されている。
【００４１】
上記イヤホンアンテナ２１０は、上記イヤホンケーブル２４１と上記同軸ケーブル２２０とでスリーブアンテナを構成しており、上記同軸ケーブル２２０の一端に設けられたピン３１０Ａが上記無線機本体３２０側のジャック３１０Ｂに挿入されることにより上記無線機本体３２０に接続される。
【００４２】
このように、携帯型無線機から引き出される同軸ケーブル２２０の内部導体２２１を外部導体（シールド線）２２３の末端より伸ばして、上記同軸ケーブル２２０の引き出された内部導体２２１と外部導体（シールド線）２２３とで、励振するスリーブアンテナ構造とし、音声信号を高周波信号と重畳したイヤホンアンテナ２１０とすることにより、人体近傍に拘わらず大幅に利得を向上することができる。
【図面の簡単な説明】
【００４３】
【図１】本発明を適用した液晶テレビジョン受像機の構成を示す図である。
【図２】上記液晶テレビジョン受像機において受像機本体とイヤホンアンテナとを接続するピンジャックコネクタの構成を示す図である。
【図３】上記受像器本体１２０の構成を示すブロック図である。
【図４】上記イヤホンアンテナを構成する同軸ケーブルの構造を示す図である。
【図５】上記イヤホンアンテナを構成する接続ブロックの構成を示す図である。
【図６】上記イヤホンアンテナの電気的な構成を示す回路構成図である。
【図７】上記イヤホンアンテナの受信感度特性の実測結果を従来のイヤホンアンテナと比較して示す特性図である。
【図８】上記イヤホンアンテナの水平偏波指向性の実測結果を従来のイヤホンアンテナと比較して示す特性図である。
【図９】本発明に係るイヤホンアンテナの他の構成例を示す図である。
【図１０】本発明に係るイヤホンアンテナのさらに他の構成例を示す図である。
【符号の説明】
【００４４】
１，２，５，６，７  可動端子、３，４  固定端子、１０，１０Ａ  イヤホンアンテナ、２０  同軸ケーブル、２１  中心導体、２２  絶縁体、２３  シールド線、２４Ｌ，２４Ｒ  信号線、接地線  ２４Ｃ、３０  接続ブロック、３１  グランドパターン、３２Ｌ，３２Ｒ  伝送ラインパターン、３３Ｌ，３３Ｒ，３３Ｃ  接続ランド、３４  基板、３５Ａ，３５Ｂ，３５Ｌ，３５Ｒ，３５Ｃ  高周波チョーク、３６Ｌ，３６Ｒ，３７Ｌ，３７Ｒ  チップコンデンサ、４０Ｌ，４０Ｒ  イヤホン、４１，４２  イヤホンケーブル、４１Ａ，４１Ｂ，４２Ａ，４２Ｂ  信号線、１００  液晶テレビジョン受像機、１１０  ピンジャックコネクタ、１１０Ａ  ピン、１１０Ｂ  ジャック、１２０  受像機本体、１２１  チューナ部、１２２  中間周波信号処理部、１２３  映像信号処理部、１２４  音声信号処理部、１２５  液晶表示部、１２６Ｌ，１２６Ｒ  ステレオスピーカ、２１０  イヤホンアンテナ、２２０  同軸ケーブル、２２１  中心導体、２２３  シールド線、２３０  接続ブロック、２３５  高周波チョーク、２３７  コンデンサ、２４０  イヤホン、２４１  イヤホンケーブル、２４１Ａ，２４１Ｂ  信号線、３１０  ピンジャックコネクタ、３１０Ａ  ピン、３１０Ｂ  ジャック、３２０  無線機本体、３２１  出力ライン、３２２  伝送ライン、３２３  高周波チョーク、３２４  グランドライン
【図１】
2005064742.tif 000003
【図２】
2005064742.tif 000004
【図３】
2005064742.tif 000005
【図４】
2005064742.tif 000006
【図５】
2005064742.tif 000007
【図６】
2005064742.tif 000008
【図７】
2005064742.tif 000009
【図８】
2005064742.tif 000010
【図９】
2005064742.tif 000011
【図１０】
2005064742.tif 000012
【手続補正書】
【提出日】平成16年8月31日(2004.8.31)
【手続補正１】
【補正対象書類名】特許請求の範囲
【補正対象項目名】全文
【補正方法】変更
【補正の内容】
【特許請求の範囲】
【請求項１】
イヤホンに音声信号を供給する２本の信号線からなるイヤホンケーブルと、
高周波信号を通す中心導体を絶縁体で被覆し、さらに、シールド線で被覆してなる同軸線と絶縁被服された音声信号用の信号線及び接地線からなり一端が多極ジャックを介して無線機本体に接続される同軸ケーブルと、
上記同軸ケーブルの他端を上記イヤホンケーブルに接続するための接続ブロックとを備え、
上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルの音声信号用の信号線及び接地線をそれぞれ音声信号の周波数帯域ではローインピーダンスで高周波信号の周波数帯域ではハイインピーダンスとなる高周波チョークコイルを介して上記イヤホンケーブルの２本の信号線に接続するとともに、上記同軸ケーブルの音声信号用の信号線及び接地線を音声信号の周波数帯域ではハイインピーダンスで高周波信号の周波数帯域ではローインピーダンスとなるコンデンサを介して接続してなり、上記イヤホンケーブルと上記同軸ケーブルとでスリーブアンテナを構成したことを特徴とするイヤホンアンテナ。
【請求項２】
上記接続ブロックに２本のイヤホンケーブルを介して接続されたステレオイヤホンを備え、一方のイヤホンケーブルの中途部分に高周波チョークコイルを挿入してなり、上記２本のイヤホンケーブルの共振長を異ならしめたことを特徴とする請求項１記載のイヤホンアンテナ。
【請求項３】
チューナと音声信号出力部に接続された多極ジャックを備える無線機本体と、
イヤホンに音声信号を供給する２本の信号線からなるイヤホンケーブルと、
高周波信号を通す中心導体を絶縁体で被覆し、さらに、シールド線で被覆してなる同軸線と絶縁被服された音声信号用の信号線及び接地線からなり一端が多極ジャックを介して無線機本体に接続される同軸ケーブルと、上記同軸ケーブルの他端を上記イヤホンケーブルに接続するための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルの音声信号用の信号線及び接地線をそれぞれ音声信号の周波数帯域ではローインピーダンスで高周波信号の周波数帯域ではハイインピーダンスとなる高周波チョークコイルを介して上記イヤホンケーブルの２本の信号線に接続するとともに、上記同軸ケーブルの音声信号用の信号線及び接地線を音声信号の周波数帯域ではハイインピーダンスで高周波信号の周波数帯域ではローインピーダンスとなるコンデンサを介して接続してなり、上記無線機本体に多極プラグ・ジャックを介して接続されるイヤホンアンテナとからなり、
上記イヤホンアンテナは上記イヤホンケーブルと上記同軸ケーブルとでスリーブアンテナを構成したことを特徴とする携帯型無線機。
【請求項４】
イヤホンに音声信号を供給する２本の信号線からなるイヤホンケーブルと、
高周波信号を通す中心導体を絶縁体で被覆し、さらに、シールド線で被覆してなる同軸ケーブルと、
上記同軸ケーブルの他端を上記イヤホンケーブルに接続するための接続ブロックとを備え、
上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルのシールド線を上記イヤホンケーブルの他方の信号線に音声信号の周波数帯域ではローインピーダンスで高周波信号の周波数帯域ではハイインピーダンスとなる高周波チョークコイルを介して接続してなり、
上記イヤホンケーブルと上記同軸ケーブルとでスリーブアンテナを構成したことを特徴とするイヤホンアンテナ。
【請求項５】
チューナと音声信号出力部に接続されたジャックを備える無線機本体と、
イヤホンに音声信号を供給する２本の信号線からなるイヤホンケーブルと、高周波信号を通す中心導体を絶縁体で被覆し、さらに、シールド線で被覆してなる同軸ケーブルと、上記同軸ケーブルの他端を上記イヤホンケーブルに接続するための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルのシールド線を上記イヤホンケーブルの他方の信号線に音声信号の周波数帯域ではローインピーダンスで高周波信号の周波数帯域ではハイインピーダンスとなる高周波チョークコイルを介して接続してなり、上記無線機本体 にプラグ・ジャックを介して接続されるイヤホンアンテナとからなり、
上記イヤホンアンテナは上記イヤホンケーブルと上記同軸ケーブルとでスリーブアンテ ナを構成したことを特徴とする携帯型無線機。
【手続補正２】
【補正対象書類名】明細書
【補正対象項目名】０００３
【補正方法】変更
【補正の内容】
【０００３】
【特許文献１】特開２００３−１６３５２９号公報
【手続補正３】
【補正対象書類名】明細書
【補正対象項目名】０００８
【補正方法】変更
【補正の内容】
【０００８】
本発明に係るイヤホンアンテナは、イヤホンに音声信号を供給する２本の信号線からなるイヤホンケーブルと、高周波信号を通す中心導体を絶縁体で被覆し、さらに、シールド線で被覆してなる同軸構造の外側に絶縁被服された音声信号用の信号線及び接地線を巻装してなり、一端が多極ジャックを介して無線機本体に接続される同軸ケーブルと、上記同軸ケーブルの他端を上記イヤホンケーブルに接続するための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルの音声信号用の信号線及び接地線をそれぞれ音声信号の周波数帯域ではローインピーダンスで高周波信号の周波数帯域ではハイインピーダンスとなる高周波チョークを介して上記イヤホンケーブルの２本の信号線に接続するとともに、上記同軸ケーブルの音声信号用の信号線及び接地線を音声信号の周波数帯域ではハイインピーダンスで高周波信号の周波数帯域ではローインピーダンスとなるコンデンサを介して接続してなり、上記イヤホンケーブルと上記同軸ケーブルとでスリーブアンテナを構成したことを特徴とする。
【手続補正４】
【補正対象書類名】明細書
【補正対象項目名】０００９
【補正方法】変更
【補正の内容】
【０００９】
また、本発明に係る携帯型無線機は、チューナと音声信号出力部に接続された多極ジャックを備える無線機本体と、イヤホンに音声信号を供給する２本の信号線からなるイヤホンケーブルと、高周波信号を通す中心導体を絶縁体で被覆し、さらに、シールド線で被覆してなる同軸構造の外側に絶縁被服された音声信号用の信号線及び接地線を巻装してなり、一端が多極ジャックを介して無線機本体に接続される同軸ケーブルと、上記同軸ケーブルの他端を上記イヤホンケーブルに接続するための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルの音声信号用の信号線及び接地線をそれぞれ音声信号の周波数帯域ではローインピーダンスで高周波信号の周波数帯域ではハイインピーダンスとなる高周波チョークを介して上記イヤホンケーブルの２本の信号線に接続するとともに、上記同軸ケーブルの音声信号用の信号線及び接地線を音声信号の周波数帯域ではハイインピーダンスで高周波信号の周波数帯域ではローインピーダンスとなるコンデンサを介して接続してなり、上記無線機本体に多極プラグ・ジャックを介して接続されるイヤホンアンテナとからなり、上記イヤホンアンテナは上記イヤホンケーブルと上記同軸ケーブルとでスリーブアンテナを構成したことを特徴とする。
【手続補正５】
【補正対象書類名】明細書
【補正対象項目名】００１０
【補正方法】変更
【補正の内容】
【００１０】
また、本発明に係るイヤホンアンテナは、イヤホンに音声信号を供給する２本の信号線からなるイヤホンケーブルと、高周波信号を通す中心導体を絶縁体で被覆し、さらに、シールド線で被覆してなる同軸ケーブルと、上記同軸ケーブルの他端を上記イヤホンケーブルに接続するための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルのシールド線を上記イヤホンケーブルの他方の信号線に音声信号の周波数帯域ではローインピーダンスで高周波信号の周波数帯域ではハイインピーダンスとなる高周波チョークを介して接続してなり、上記イヤホンケーブルと上記同軸ケーブルとでスリーブアンテナを構成したことを特徴とする。
【手続補正６】
【補正対象書類名】明細書
【補正対象項目名】００１１
【補正方法】変更
【補正の内容】
【００１１】
さらに、本発明に係る携帯型無線機は、チューナと音声信号出力部に接続されたジャックを備える無線機本体と、イヤホンに音声信号を供給する２本の信号線からなるイヤホンケーブルと、高周波信号を通す中心導体を絶縁体で被覆し、さらに、シールド線で被覆してなる同軸ケーブルと、上記同軸ケーブルの他端を上記イヤホンケーブルに接続するための接続ブロックとを備え、上記接続ブロックにおいて、上記同軸ケーブルの中心導体を上記イヤホンケーブルの一方の信号線に直接接続するとともに上記イヤホンケーブルの他方の信号線に音声信号の周波数帯域ではハイインピーダンスで高周波信号の周波数帯域ではローインピーダンスとなるコンデンサを介して接続し、上記同軸ケーブルのシールド線を上記イヤホンケーブルの他方の信号線に音声信号の周波数帯域ではローインピーダンスで高周波信号の周波数帯域ではハイインピーダンスとなる高周波チョークを介して接続してなり、上記無線機本体にプラグ・ジャックを介して接続されるイヤホンアンテナとからなり、上記イヤホンアンテナは上記イヤホンケーブルと上記同軸ケーブルとでスリーブアンテナを構成したことを特徴とする。
【手続補正７】
【補正対象書類名】明細書
【補正対象項目名】００１３
【補正方法】変更
【補正の内容】
【００１３】
また、本発明に係る携帯型無線機では、イヤホンに音声信号を供給する２本の信号線からなるイヤホンケーブルと、高周波信号を通す中心導体を絶縁体で被覆し、さらに、シールド線で被覆してなる同軸構造の外側に絶縁被服された音声信号用の信号線及び接地線を巻装してなり、一端に多極プラグが設けられた同軸ケーブルと、上記同軸ケーブルの他端を上記イヤホンケーブルに接続するための接続ブロックとを備え、上記接続ブロックにおいて、上記同軸ケーブルの中心導体を上記イヤホンケーブルの一方の信号線に直接接続するとともに上記イヤホンケーブルの他方の信号線にコンデンサを介して接続し、上記同軸ケーブルの音声信号用の信号線及び接地線をそれぞれ高周波チョークを介して上記イヤホンケーブルの２本の信号線に接続するとともに、上記同軸ケーブルの音声信号用の信号線及び接地線をコンデンサを介して接続してなり、上記イヤホンケーブルと上記同軸ケーブルとでスリーブアンテナを構成したイヤホンアンテナが、無線機本体に多極プラグ・ジャックを介して接続されることによって、広帯域に亘って受信の安定性を確保することができる。
【手続補正８】
【補正対象書類名】明細書
【補正対象項目名】００３８
【補正方法】変更
【補正の内容】
【００３８】
このイヤホンアンテナ２１０は、上記接続ブロック２３０において、上記同軸ケーブル２２０の中心導体２２１を上記イヤホンケーブル２４１の一方の信号線２４１Ａに直接接続するとともに上記イヤホンケーブル２４１の他方の信号線２４１Ｂに音声信号の周波数帯域ではハイインピーダンスで高周波信号の周波数帯域ではローインピーダンスとなるコンデンサ２３７を介して接続し、上記同軸ケーブル２２０のシールド線２２３を上記イヤホンケーブル２４１の一方の信号線２４１Ｂに音声信号の周波数帯域ではローインピーダンスで高周波信号の周波数帯域ではハイインピーダンスとなる高周波チョーク２３５を介して接続してなる。
【手続補正９】
【補正対象書類名】図面
【補正対象項目名】図１０
【補正方法】変更
【補正の内容】
【図１０】
2005064742.tif 000013